(57)【特許請求の範囲】
【請求項１】
電子発生ユニットから発せられた電子をターゲットに衝突させてＸ線を出力するＸ線管において、
前記電子発生ユニットを収容する収容部を有する外囲器本体と、
前記外囲器本体に一端側が接合されており、内方に延出された内筒部を他端側に有するバルブと、
前記内筒部と当接する張出部を一端側の外周に有すると共に、前記内筒部を介して他端側が前記バルブから外方に突出している金属管と、
前記ターゲットを一端側で支持しており、他端側が前記金属管に挿通されたターゲット支持体とを備え、前記バルブの内筒部と前記金属管の張出部とが融着されており、前記ターゲット支持体は、前記バルブから突出している前記金属管の端部に溶接されていることを特徴とするＸ線管。
【請求項２】
外囲器本体に収容された電子発生ユニットからの電子をターゲット支持体によって支持されたターゲットに衝突させてＸ線を出力するＸ線管の製造方法において、
前記外囲器本体に接合させる側の反対側に、内方に延出された内筒部を有するバルブと、前記バルブの内筒部と当接する張出部を外周に有すると共に前記内筒部に挿通可能な金属管とを用い、
前記金属管を前記内筒部から前記バルブの外方に突出させた状態で、前記内筒部の端面と前記金属管の張出部とを互いに融着させ、
前記金属管に前記ターゲット支持体を挿入すると共に、前記ターゲット支持体を前記バルブから突出している前記金属管の端部に溶接することを特徴とするＸ線管の製造方法。
【請求項３】
前記ターゲット支持体を前記金属管の端部に溶接する際に、治具を用いて前記ターゲット支持体を前記金属管に対して位置決めすることを特徴とする請求項２に記載のＸ線管の製造方法。
【請求項４】
前記ターゲット支持体を前記金属管の端部に溶接する際に、位置検出手段を用いて前記ターゲット支持体を前記金属管に対して位置決めすることを特徴とする請求項２に記載のＸ線管の製造方法。
【発明の詳細な説明】
【０００１】
【発明の属する技術分野】
本発明は、Ｘ線管、及び、Ｘ線管の製造方法に関し、特に、Ｘ線焦点を極めて微小に設定可能なマイクロフォーカスＸ線管、及び、その製造方法に関する。
【０００２】
【従来の技術】
Ｘ線管は、電子をターゲットに衝突させてＸ線を出力するものであり、従来から、非破壊検査や非接触検査等に用いられるＸ線検査装置等のＸ線発生源として利用されている。この種のＸ線管としては、例えば、実開平３−１１０７５３号によって開示されたものが知られている。同公報に記載されたＸ線管は、ガラス等の絶縁材を略筒状に成型した真空外囲器を有する。真空外囲器の両端部は、全周にわたって内側に折り返されており、これにより、真空外囲器の両端には、それぞれ外囲器内部に向けて延びる内筒部が形成される。一方の内筒部には、陰極フィラメントや集束電極等を含む電子発生ユニットが固定されている。また、他方の折返し部には、金属管が融着されている。そして、この金属管に、ターゲットを支持するターゲット支持体が固定され、これにより、電子発生ユニットとターゲットとが対向し合う。
【０００３】
【発明が解決しようとする課題】
ところで、近年では、Ｘ線検査装置等によって撮像される透視画像の鮮明度や拡大率をより向上させるべく、Ｘ線管におけるＸ線焦点の寸法（径）をより微小化することが求められている。このため、Ｘ線焦点を極めて微小に設定可能な、いわゆるマイクロフォーカスＸ線管に対するニーズが高まっている。このように、Ｘ線焦点を極めて微小に設定するためには、電子を受容するターゲットを精度よく真空外囲器に装着する必要がある。
【０００４】
しかしながら、上述したような従来のＸ線管では、まず、内筒部と金属管とを融着させるに際して、金属管を真空外囲器に精度よく取り付けることが困難であった。また、従来のＸ線管では、金属管とターゲット支持体とを真空外囲器の内部で固定しなければならない。このため、金属管に対してターゲット支持体を精度よく固定するのに多大な労力を必要とした。このように、従来のＸ線管では、製造時の寸法精度や組立精度に起因して、Ｘ線焦点を微小に設定することが困難となってしまうことがあった。
【０００５】
そこで、本発明は、各構成部品が高精度に組み立てられており、Ｘ線焦点を極めて微小に設定可能なＸ線管、及び、製造時の寸法精度や組立精度を良好に保って、Ｘ線焦点を極めて微小に設定可能なＸ線管を容易に製造可能とするＸ線管の製造方法の提供を目的とする。
【０００６】
【課題を解決するための手段】
請求項１に記載の本発明によるＸ線管は、電子発生ユニットから発せられた電子をターゲットに衝突させてＸ線を出力するＸ線管において、電子発生ユニットを収容する収容部を有する外囲器本体と、外囲器本体に一端側が接合されており、内方に延出された内筒部を他端側に有するバルブと、内筒部と当接する張出部を一端側の外周に有すると共に、内筒部を介して他端側がバルブから外方に突出している金属管と、ターゲットを一端側で支持しており、他端側が金属管に挿通されたターゲット支持体とを備え、バルブの内筒部と金属管の張出部とが融着されており、ターゲット支持体は、バルブから突出している金属管の端部に溶接されていることを特徴とする。
【０００７】
このＸ線管は、電子発生ユニットから発せられた電子をターゲットに衝突させてＸ線を出力するものである。このため、このＸ線管は、電子を発生するカソード等を含む電子発生ユニット、陽極となるターゲット、及び、ターゲットを支持するターゲット支持体を備える。更に、このＸ線管は、外囲器本体およびバルブを備える。これら外囲器本体とバルブとは、電子発生ユニットやターゲット等を収容する真空外囲器を構成する。
【０００８】
外囲器本体は、電子発生ユニットを収容する収容部を有する。また、バルブは、ガラスやセラミック等の絶縁体によって略筒状に形成されており、その一端側が外囲器本体に接合されることになる。そして、バルブの他端部には、内方に向けて延びる内筒部が設けられている。つまり、バルブの他端部は、例えば中央部に孔部が形成されるように、全周にわたって内側に折り返されている。このバルブには、ターゲット支持体を固定するための金属管が取り付けられる。
【０００９】
金属管は、その一端側に、バルブの内筒部と当接可能な張出部を有する。つまり、金属管の一端部は、例えば、全周にわたって外側に折り返され、金属管の一端側の外周には、バルブの内筒部と略同径の筒状部が形成される。一方、金属管の他端側は、バルブの内筒部に挿通させることができる。そして、この金属管には、ターゲットを支持するターゲット支持体の他端側を挿通させることが可能である。
【００１０】
上述したような構成部品からなる本発明によるＸ線管は、次のような手順に従って製造される。この場合、予めバルブに金属管を取り付けておく。バルブに金属管を取り付けるに際しては、金属管を内筒部からバルブの外方に突出させた状態で、内筒部（その端面）と金属管の張出部（その端面）とを互いに融着させる。この際、バルブ内で金属管を正確に位置決めすることができるので、両者を精度よく融着させることができる。
【００１１】
そして、例えばバルブを外囲器本体に接合した後、ターゲット支持体の他端（ターゲットを支持していない側の端部）をバルブに固定された金属管に挿入した状態で、ターゲット支持体をバルブから突出している金属管の端部に溶接する。この際、治具や光学式位置センサ等を用いながら、金属管に対してターゲット支持体をスライドさせることにより、ターゲットの取付位置を精度よく決定することが可能となる。そして、ターゲット支持体を金属管に溶接する作業は、バルブの外から容易に行なうことが可能である。これにより、ターゲット支持体と金属管とを精度よく強固に固定することができると共に、外囲器本体とバルブとからなる真空外囲器の内部を確実に気密保持することが可能となる。
【００１２】
このように、本発明によるＸ線管では、各構成部品が極めて高精度に位置決めされた状態で組み立てられており、電子発生ユニットとターゲットとの位置関係が高精度に定められている。従って、このＸ線管によれば、Ｘ線焦点を極めて微小に設定することが可能となる。
【００１３】
請求項２に記載の本発明によるＸ線管の製造方法は、外囲器本体に収容された電子発生ユニットからの電子をターゲット支持体によって支持されたターゲットに衝突させてＸ線を出力するＸ線管の製造方法において、外囲器本体に接合させる側の反対側に、内方に延出された内筒部を有するバルブと、バルブの内筒部と当接する張出部を外周に有すると共に内筒部に挿通可能な金属管とを用い、金属管を内筒部からバルブの外方に突出させた状態で、内筒部の端面と金属管の張出部とを互いに融着させ、金属管にターゲット支持体を挿入すると共に、ターゲット支持体をバルブから突出している金属管の端部に溶接するものである。
【００１４】
このＸ線管の製造方法によれば、製造時の寸法精度や組立精度を良好に保ちながら、各構成部品を組み立てていくことが可能となる。従って、このＸ線管の製造方法を採用すれば、Ｘ線焦点を極めて微小に設定可能なＸ線管を容易に製造可能となる
【００１５】
この場合、ターゲット支持体を金属管の端部に溶接する際に、治具を用いてターゲット支持体を金属管に対して位置決めすると好ましい。また、ターゲット支持体を金属管の端部に溶接する際に、位置検出手段を用いてターゲット支持体を金属管に対して位置決めしてもよい。
【００１６】
【発明の実施の形態】
以下、図面と共に本発明によるＸ線管、及び、Ｘ線管の製造方法の好適な実施形態について詳細に説明する。
【００１７】
図１は、本発明によるＸ線管を示す断面図である。同図に示すＸ線管１は、例えばＸ線検査装置のＸ線発生源として用いると好適なものであり、真空外囲器２、電子発生ユニット（電子銃）３、及び、ターゲットＴを備える。電子発生ユニット３は、多孔質タングステン等にＢａＯ等を含浸させたカソードＣを有する。また、ターゲットＴは、炭素層上に保護層を介してタングステン等からなるＸ線発生膜を積層させたものである。これら電子発生ユニット３とターゲットＴとは、真空外囲器２の内部に収容されており、真空外囲器２の内部で電子発生ユニット３から発せられた電子がターゲットＴに衝突するとＸ線が出力される。真空外囲器２は、図１に示すように、主として、外囲器本体４とバルブ１０とから構成されている。
【００１８】
外囲器本体４は、陽極となるターゲットＴが収容される胴部５と、陰極となる電子発生ユニット３が収容される電子銃収容部６とからなる。胴部５は、金属等によって筒状に形成されており、内部空間５ａを有する。また、胴部５の外周には、図示しないＸ線検査装置の筐体等に固定されるフランジ部５ｂが設けられている。そして、胴部５の図１における下部には、出力窓７ａを有する蓋板７が固定されており、この蓋板７によって内部空間５ａの一端側が閉鎖されている。一方、電子銃収容部６は、図２に示すように略長方形状の断面を有する筒状に形成されており、胴部５の側部下方に接続（固定）されている。図１に示すように、胴部５の軸心と電子銃収容部６の軸心とは略直交し、電子銃収容部６の内部は、アパーチャ６ａを介して、胴部５の内部空間５ａと連通する。
【００１９】
電子銃収容部６内に収容される電子発生ユニット３について説明すると、図１及び図３に示すように、電子発生ユニット３には、カソードＣ、ヒータ３０、第１グリッド電極３１および第２グリッド電極３２が含まれる。これらカソードＣ、ヒータ３０、第１グリッド電極３１および第２グリッド電極３２は、それぞれ平行に延びる複数（本実施形態では、８本）のピン３３ａ〜３３ｈを介して、ステム基板３４に取り付けられている。具体的には、カソードＣは、ステム基板３４に固定されたピン３３ａ（図２参照）に取り付けられており、このピン３３ａを介して外部から給電される。同様に、ヒータ３０は、ステム基板３４に固定されたピン３３ｂ，３３ｃ（図２参照）に取り付けられており、これらピン３３ｂ，３３ｃを介して外部から給電される。
【００２０】
更に、第１グリッド電極３１は、ステム基板３４に固定されたピン３３ｄ，３３ｅ，３３ｆ，３３ｇに取り付けられており、これらピン３３ｄ〜３３ｇを介して外部から給電される。また、第２グリッド電極３２は、ステム基板３４に固定されたピン３３ｈに取り付けられており、このピン３３ｈを介して外部から給電される。このようにして、カソードＣ等をステム基板３４に一体化させた電子発生ユニット３は、アパーチャ６ａと反対側の端部から電子銃収容部６内に挿入され、ステム基板３４は、電子銃収容部６の端部に固定される。
【００２１】
一方、外囲器本体４と共に真空外囲器２を構成するバルブ１０は、ガラスやセラミック等の絶縁体によって略筒状に形成されている。図１に示すように、バルブ１０の一端側（図１における下端側）には、金属等からなるリング部材８が融着されている。そして、このリング部材８は、外囲器本体４を構成する胴部５に接合（溶接）される。このように、バルブ１０の一端側は、外囲器本体４に接合される。
【００２２】
これに対して、バルブ１０の他端側（図１及び図４における上端側）には、図１及び図４に示すように、内方に向けて延びる円筒状の内筒部１０ａが設けられている。つまり、バルブ１０の他端部（上端部）は、中央部に孔部が画成されるように、全周にわたって内側に折り返されている。これにより、バルブ１０の他端側は、内筒部１０ａの内部を介して外部に開放される。そして、バルブ１０の内筒部１０ａには、ターゲットＴを胴部５内に支持するための金属管１１が取り付けられる。
【００２３】
金属管１１は、図４に示すように、基本的にバルブ１０の内筒部１０ａの内径よりも小さい外径を有する。また、金属管１１は、その一端側（図４における下端側）の外周に、張出部１１ａを有する。すなわち、金属管１１の一端部は、全周にわたって外側に折り返されており、金属管１１の一端側の外周には、バルブ１０の内筒部１０ａと略同径の筒状部（外筒部）が形成されている。そして、金属管１１の他端側（図４における上端側）は、バルブ１０の内筒部１０ａに挿通させることができる。
【００２４】
金属管１１の他端側をバルブ１０の内筒部１０ａに挿通させていくと、張出部１１ａの端面は、バルブ１０に設けられている内筒部１０ａの端面と当接する。内筒部１０ａと張出部１１ａとが当接した際には、金属管１１の他端部は、図１に示すように、内筒部１０ａを介してバルブ１０から外方に突出する。そして、バルブ１０の端面と張出部１１ａの端面とは互いに融着させられる。
【００２５】
このようにしてバルブ１０に取り付けられる金属管１１には、一端側にターゲットＴを支持するターゲット支持体１２の他端側が挿通される。ターゲット支持体１２は、銅材等により棒状に形成されており、一端側（図１において下端側）に、バルブ１０側から胴部５側に（図１において上側から下側に）向かうにつれて電子発生ユニット３から遠ざかるように傾斜する傾斜面１２ａを有する（図１参照）。ターゲットＴは、この傾斜面１２ａと面一になるようにターゲット支持体１２の端部に埋設されている。
【００２６】
そして、ターゲット支持体１２の他端部（図１における上端部）は、バルブ１０から突出している金属管１１の端部に溶接されている。これにより、ターゲット支持体１２は、バルブ１０および胴部５の軸心と略平行に延在する一方、電子発生ユニット３からの電子の進行方向とは略直交する。従って、真空外囲器２の内部において、電子発生ユニット（電子銃）３から発せられた電子がターゲットＴに衝突すると、ターゲットＴの表面から、電子の進行方向と略直交する方向にＸ線が出力される。Ｘ線は、胴部５の開放端（バルブ１０側と反対側の端部）を覆う蓋板７の出力窓７ａを介して外部に放出される。なお、バルブ１０内には、内筒部１０ａと金属管１１の張出部１１ａとの融着部を覆うように、カバー電極１４が装着される。
【００２７】
次に、上述したように構成されたＸ線管１を製造する際に適用される本発明によるＸ線管の製造方法について説明する。上述したような構成部品からなる本発明によるＸ線管１を組み立てていくに際しては、所定の段階で、胴部５と電子銃収容部６とを接合して外囲器本体４を組み立てておくと共に、バルブ１０に金属管１１を予め取り付けておく。バルブ１０に金属管１１を取り付けるに際しては、金属管１１を内筒部１０ａからバルブ１０の外方に突出させた状態で、内筒部１０ａの端面と金属管１１の張出部１１ａの端面とを互いに融着させる。この場合、バルブ１０の内筒部１０ａとは反対側の端部は、完全に開放されていることから（図４参照）、バルブ１０内で金属管１１を容易かつ正確に位置決めすることができる。従って、バルブ１０と金属管１１とを精度よく位置決めした状態で融着させることが可能である。
【００２８】
その後、例えば、図５に示すような手順で各構成部品を組み上げていく。すなわち、まず、金属管１１が取り付けられているバルブ１０と、外囲器本体４とを接合する（Ｓ１０）。ここでは、バルブ１０に対して予め融着させておいたリング部材８と、外囲器本体４（胴部５）とを溶接する。次に、バルブ１０を外囲器本体４に接合した状態で、ターゲット支持体１２の他端（ターゲットＴを支持していない側の端部）をバルブ１０に固定された金属管１１に挿入した状態で、ターゲット支持体１２をバルブ１０に対して位置決めする。更に、ターゲット支持体１２をバルブ１０から突出している金属管１１の端部に溶接する（Ｓ１２）。
【００２９】
ここで、バルブ１０（金属管１１）に対してターゲット支持体１２を位置決めするに際しては、図６及び図７に示すような治具を用いると好ましい。図６に示す治具６０は、外囲器本体４を構成する胴部５の内部空間５ａに対して、バルブ１０の反対側の開放端から嵌合させることができるものである。そして、この治具６０は、胴部５の内部空間５ａに嵌め込まれた際に、ターゲットＴが予め定められた取付箇所に位置するように金属管１１に挿入されたターゲット支持体１２の端部と係合する。すなわち、治具６０は、ターゲット支持体１２の傾斜面１２ａと当接する傾斜面６１と、ターゲット支持体１２の端面１２ｂと当接する規制面６２とを有する。
【００３０】
一方、図７に示す治具７０は、外囲器本体４を構成する胴部５の内部空間５ａに対して、電子銃収容部６の開放端から挿入することができるものである。この治具７０は、電子銃収容部６の軸心と平行をなすように胴部５の内部空間５ａに挿入された際に、ターゲットＴが予め定められた取付箇所に位置するように金属管１１に挿入されたターゲット支持体１２の端部と係合する。すなわち、治具７０も、ターゲット支持体１２の傾斜面１２ａと当接する傾斜面７１と、ターゲット支持体１２の端面１２ｂと当接する規制面７２とを有する。
【００３１】
また、バルブ１０に対してターゲット支持体１２を位置決めするに際しては、図８及び図９に示すような光学式位置センサ８０（位置検出手段）を用いてもよい。このような光学式位置センサ８０を用いてターゲット支持体１２をバルブ１０（金属管１１）に対して位置決めする場合、バルブ１０及び金属管１１の軸心が鉛直をなすように、外囲器本体４およびバルブ１０を水平面Ｈ上に載置する。そして、図８に示す例では、光学式位置センサ８０から、ターゲット支持体１２の金属管１１側の端面１２ｃと、水平面Ｈとに対して測定光を照射する。すなわち、この場合は、水平面Ｈとターゲット支持体１２の端面１２ｃとの距離を検出しながら、ターゲットＴが予め定められた取付箇所に位置するようにターゲット支持体１２を金属管１１に対してスライドさせる。
【００３２】
また、図９に示す例では、光学式位置センサ８０を水平面Ｈ上に載置し、光学式位置センサ８０から、電子銃収容部６を介して、胴部５の内部空間５ａ内に測定光を照射する。そして、この場合は、ターゲット支持体１２のターゲットＴ側の端面１２ｂを検出しながら、ターゲットＴが予め定められた取付箇所に位置するようにターゲット支持体１２を金属管１１に対してスライドさせる。このように、治具６０，７０や光学式位置センサ８０等の位置検出手段を用いた上で、金属管１１に対してターゲット支持体１２をスライドさせることにより、ターゲットＴの取付位置を精度よく決定することが可能となる。
【００３３】
Ｓ１２では、このように、ターゲット支持体１２をバルブ１０に対して正確に位置決めした上で溶接作業が行なわれる。ここで、Ｓ１２において、ターゲット支持体１２を金属管１１に溶接する作業は、バルブ１０の外から容易に行なうことが可能である。これにより、ターゲット支持体１２と金属管１１とを精度よく強固に固定することができると共に、外囲器本体４とバルブ１０とからなる真空外囲器２の内部を確実に気密保持することが可能となる。なお、カバー電極１４は、ターゲット支持体１２を金属管１１に溶接する前に、バルブ１０内に装着しておくか、ターゲット支持体１２に固定しておくとよい。
【００３４】
ターゲット支持体１２をバルブ１０に固定したならば、更に、電子発生ユニット３を電子銃収容部６に挿入し、器内が確実に気密保持されるように、ステム基板３４を電子銃収容部６に固定する（Ｓ１４）。更に、出力窓７ａが形成された蓋板７を、器内が確実に気密保持されるように、外囲器本体４の胴部５に対して固定する（Ｓ１６）。これにより、Ｘ線管１が完成する。
【００３５】
上述したように、本発明によるＸ線管の製造方法によれば、製造時の寸法精度や組立精度を良好に保ちながら、各構成部品を組み立てていくことが可能となる。従って、このＸ線管の製造方法を採用すれば、電子発生ユニット３とターゲットＴとの位置関係を高精度に設定することができる。そして、この方法によって製造されたＸ線管１によれば、Ｘ線焦点を極めて微小に設定することが可能となる。
【００３６】
なお、図５に示すＸ線管１の製造手順は、あくまで一例であり、Ｘ線管１の製造手順としては、様々な態様を採用可能である。Ｘ線管１を製造する手順の他の例を図１０〜図１２に示す。これらの場合も、所定の段階で、胴部５と電子銃収容部６とを接合して外囲器本体４を組み立てておくと共に、バルブ１０に金属管１１を予め取り付けておく。
【００３７】
図１０に示す例では、先ず、電子発生ユニット３を外囲器本体４の電子銃収容部６に取り付ける（Ｓ２０）。そして、金属管１１が取り付けられているバルブ１０を外囲器本体４に対して固定する（Ｓ２２）。バルブ１０を外囲器本体４に固定したならば、次に、バルブ１０に固定されている金属管１１にターゲット支持体１２を挿入し、位置決め後、ターゲット支持体１２を金属管１１に溶接する（Ｓ２４）。ここで、Ｓ２４における作業を開始する際、電子銃収容部６はステム基板３４によって既に閉鎖されている。従って、ターゲット支持体１２をバルブ１０に対して位置決めするに際しては、図６に示す治具６０を用いるか、光学式位置センサ８０を図８に示すように用いるかすればよい。その後、外囲器本体４の胴部５に、出力窓７ａが形成されている蓋板７を固定すれば（Ｓ２６）、Ｘ線管１が完成することになる。
【００３８】
図１１に示す例では、先ず、電子発生ユニット３を外囲器本体４の電子銃収容部６に取り付ける（Ｓ３０）。次に、外囲器本体４の胴部５に対して、出力窓７ａが形成されている蓋板７を固定する（Ｓ３２）。蓋板７を外囲器本体４の胴部５に固定したならば、金属管１１が取り付けられているバルブ１０を外囲器本体４に対して固定する（Ｓ３４）。その後、Ｓ３６にて、ターゲット支持体１２を金属管１１に溶接するが、この場合、胴部５の内部空間５ａは蓋板７によって既に閉鎖され、電子銃収容部６はステム基板３４によって既に閉鎖されている。従って、Ｓ３６では、ターゲット支持体１２をバルブ１０の外方から金属管１１に挿入すると共に、光学式位置センサ８０を図８に示すように用いながら、ターゲット支持体１２を位置決めすればよい。これにより、Ｘ線管１が完成することになる。
【００３９】
図１２に示す例では、先ず、外囲器本体４の胴部５に対して、出力窓７ａが形成されている蓋板７を固定する（Ｓ４０）。次に、電子発生ユニット３を外囲器本体４の電子銃収容部６に取り付ける（Ｓ４２）。電子発生ユニット３を電子銃収容部６に装着したならば、金属管１１が取り付けられているバルブ１０を外囲器本体４に対して固定する（Ｓ４４）。その後、ターゲット支持体１２を金属管１１に溶接するが（Ｓ４６）、この場合も、胴部５の内部空間５ａは蓋板７によって既に閉鎖され、電子銃収容部６はステム基板３４によって既に閉鎖されている。従って、Ｓ４６では、ターゲット支持体１２をバルブ１０の外方から金属管１１に挿入すると共に、光学式位置センサ８０を図８に示すように用いながら、ターゲット支持体１２を位置決めすればよい。これにより、Ｘ線管１が完成することになる。
【００４０】
【発明の効果】
本発明によるＸ線管は、外囲器本体に一端側が接合されており、内方に延出された内筒部を他端側に有するバルブと、内筒部と当接する張出部を一端側の外周に有すると共に、内筒部を介して他端側がバルブから外方に突出している金属管と、ターゲットを一端側で支持しており、他端側が金属管に挿通されたターゲット支持体とを備え、バルブの内筒部と金属管の張出部とが融着されており、ターゲット支持体は、バルブから突出している金属管の端部に溶接されている。これにより、このＸ線管では、Ｘ線焦点を極めて微小に設定可能となる。
【００４１】
また、本発明によるＸ線管の製造方法では、外囲器本体に接合させる側の反対側に、内方に延出された内筒部を有するバルブと、バルブの内筒部と当接する張出部を外周に有すると共に内筒部に挿通可能な金属管とを用い、金属管を内筒部からバルブの外方に突出させた状態で、内筒部の端面と金属管の張出部とを互いに融着させ、金属管にターゲット支持体を挿入すると共に、ターゲット支持体をバルブから突出している金属管の端部に溶接する。これにより、製造時の寸法精度や組立精度を良好に保って、Ｘ線焦点を極めて微小に設定可能なＸ線管を容易に製造することができる。
【図面の簡単な説明】
【図１】本発明によるＸ線管を示す断面図である。
【図２】本発明によるＸ線管を示す側面図である。
【図３】図１および図２に示すＸ線管の電子銃収容部内の構成を説明するための断面図である。
【図４】図１等に示すＸ線管を構成するバルブおよび金属管を示す断面図である。
【図５】本発明によるＸ線管を製造する方法を説明するためのフローチャートである。
【図６】ターゲット支持体をバルブに対して位置決めする方法を説明するための模式図である。
【図７】ターゲット支持体をバルブに対して位置決めする方法を説明するための模式図である。
【図８】ターゲット支持体をバルブに対して位置決めする方法を説明するための模式図である。
【図９】ターゲット支持体をバルブに対して位置決めする方法を説明するための模式図である。
【図１０】本発明によるＸ線管を製造する方法の他の態様を説明するためのフローチャートである。
【図１１】本発明によるＸ線管を製造する方法の更に他の態様を説明するためのフローチャートである。
【図１２】本発明によるＸ線管を製造する方法の他の態様を説明するためのフローチャートである。
【符号の説明】
１…Ｘ線管、２…真空外囲器、３…電子発生ユニット、４…外囲器本体、５…胴部、５ａ…内部空間、６…電子銃収容部、７…蓋板、７ａ…出力窓、８…リング部材、１０…バルブ、１０ａ…内筒部、１１…金属管、１１ａ…張出部、１２…ターゲット支持体、１２ａ…傾斜面、３０…ヒータ、３１…第１グリッド電極、３２…第２グリッド電極、３３ａ，３３ｂ，３３ｃ，３３ｄ，３３ｅ，３３ｆ，３３ｇ，３３ｈ…ピン、３４…ステム基板、６０，７０…治具、６１，７１…傾斜面、６２，７２…規制面、８０…光学式位置センサ、Ｃ…カソード、Ｈ…水平面、Ｔ…ターゲット。
【図１】
0004068332.tif 000002
【図２】
0004068332.tif 000003
【図３】
0004068332.tif 000004
【図４】
0004068332.tif 000005
【図５】
0004068332.tif 000006
【図６】
0004068332.tif 000007
【図７】
0004068332.tif 000008
【図８】
0004068332.tif 000009
【図９】
0004068332.tif 000010
【図１０】
0004068332.tif 000011
【図１１】
0004068332.tif 000012
【図１２】
0004068332.tif 000013